(57)【特許請求の範囲】
【請求項１】
温水を貯留する温水タンク本体と、
前記温水タンク本体内に外側から取り付けられていて水を整流化する整流部材と、
を備え、
前記整流部材は、前記温水タンク本体内に配置されて前記水を吐出する整流筒部と、該整流筒部と嵌合して連結する嵌合軸部と、を有し、
前記整流筒部および前記嵌合軸部は、前記温水タンク本体の外側から取付可能に構成され、
前記温水タンク本体内に前記水を供給する流入口が該温水タンク本体に設けられた凸部に形成されており、前記整流部材および前記嵌合軸部は前記凸部と嵌合することで固定されていることを特徴とする温水タンク。
【請求項２】
温水を貯留する温水タンク本体と、
前記温水タンク本体内に外側から取り付けられていて水を整流化する整流部材と、
を備え、
前記温水タンク本体には、前記整流部材が設置される流入口が形成され、
前記整流部材は、前記温水タンク本体内に配置されて前記水を吐出する整流筒部と、該整流筒部と嵌合して連結する嵌合軸部と、を有し、
前記整流筒部は、前記流入口よりも小径の部材で構成され、
前記温水タンク本体内に前記水を供給する流入口が該温水タンク本体に設けられた凸部に形成されており、前記整流部材および前記嵌合軸部は前記凸部と嵌合することで固定されていることを特徴とする温水タンク。
【請求項３】
前記整流部材は略円筒状である請求項１または請求項２に記載された温水タンク。
【発明の詳細な説明】
【技術分野】
【０００１】
本発明は、水洗式便器洗浄装置に用いられ、洗浄水として温水を吐出する温水タンクに関する。
【背景技術】
【０００２】
従来、水洗式便器装置は温水タンクと洗浄ノズルを備えている。温水タンクの下部の流入口から供給された水は温水タンクの底部に沿って水平方向に広がり、整流部材によって整流化されて上昇しヒータで加熱された温水を上層側に押し上げることで温水を長時間保持できる。温水タンクから吐出された温水は洗浄ノズルで人体の局部に噴射して洗浄するようになっている。
【０００３】
例えば特許文献１に記載された温水タンクでは、温水タンクの下部に設けた流入口から供給した水をその上部に設けたプレート状の整流部材によって上方向と横方向に流出させることで水の速度と方向を調整し整流化している。
【０００４】
特許文献１に記載されたシャワートイレの温水タンクは、そのタンク本体が下部タンクと上部タンクとに分離されている。下部タンク内の内壁に水を整流して上方に押し上げる整流部材を熱溶着やビス止め等で取り付けた後に、下部タンクと上部タンクの開口部の縁部同士を熱溶着等で一体化している。
【先行技術文献】
【特許文献】
【０００５】
【特許文献１】特開２０１２−２０２１６９号公報
【発明の概要】
【発明が解決しようとする課題】
【０００６】
しかしながら、特許文献１に記載された温水タンクは、下部タンク内の底部に整流部材を固定した後で上部タンクと下部タンクを連結するものであるため、作業工数と製造コストが増大し、製造効率が悪いという欠点があった。また、温水タンクは下部タンクと上部タンクを溶着して形成したため、整流部材が故障すると取り出して修理したり交換することができなかった。
【０００７】
本発明は、このような課題に鑑みてなされたものであって、組み立て前の温水タンク本体内に整流部材を固定する必要がなく組立が容易な温水タンクを提供することを目的とする。
【課題を解決するための手段】
【０００８】
本発明による温水タンクは、温水を貯留する温水タンク本体と、前記温水タンク本体内に外側から取り付けられていて水を整流化する整流部材と、を備え、前記整流部材は、前記温水タンク本体内に配置されて前記水を吐出する整流筒部と、該整流筒部と嵌合して連結する嵌合軸部と、を有し、前記整流筒部および前記嵌合軸部は、前記温水タンク本体の外側から取付可能に構成され、前記温水タンク本体内に前記水を供給する流入口が該温水タンク本体に設けられた凸部に形成されており、前記整流部材および前記嵌合軸部は前記凸部と嵌合することで固定されていることを特徴とする。
本発明による温水タンクは、温水を貯留する温水タンク本体と、前記温水タンク本体内に外側から取り付けられていて水を整流化する整流部材と、を備え、前記温水タンク本体には、前記整流部材が設置される流入口が形成され、前記整流部材は、前記温水タンク本体内に配置されて前記水を吐出する整流筒部と、該整流筒部と嵌合して連結する嵌合軸部と、を有し、前記整流筒部は、前記流入口よりも小径の部材で構成され、前記温水タンク本体内に前記水を供給する流入口が該温水タンク本体に設けられた凸部に形成されており、前記整流部材および前記嵌合軸部は前記凸部と嵌合することで固定されていることを特徴とする。
本発明によれば、温水タンク本体を組み立てた後で整流部材を温水タンク本体の外部から装着することで取り付けできるため、温水タンクの組み立ての作業工数を削減できる。
【０００９】
また、温水タンクは水の流入口と整流部材の嵌合口を兼用しているため、組立が一層容易であり、流入口に嵌合された整流部材を通して水を温水タンク本体内に流入して整流化できる。
また、前記温水タンク本体内に前記水を供給する流入口が該温水タンク本体に設けられた凸部に形成されており、整流部材は凸部と嵌合することで固定されているため、整流部材を流入口に堅固に固定できる。
【００１０】
また、整流部材は略円筒状であることが好ましい。
整流部材は略円筒形状であるため、温水タンク本体の流入口への装着が容易で水密に装着でき、修理等の際にも容易に取り外しできる。
【００１１】
また、温水タンク本体に水の流入口とは別に整流部材の嵌合口を設けてもよい。
温水タンク本体の流入口から流入された水が嵌合口に装着された整流部材の開口を通過することで整流化され、温水タンク本体内の温水の層の下層側に流入して上層の温水を押し上げて外部に設けた洗浄ノズル等に給水することができる。
【発明の効果】
【００１２】
本発明による温水タンクは、温水タンク本体の外部から整流部材を装着できるため、温水タンクの組み立てが簡単で作業工数を削減でき、温水タンクの製造コストを低減できる。しかも、温水タンク本体からの整流部材の取り外しによる修理や交換等も容易に行うことができる。
【図面の簡単な説明】
【００１３】
【図１】本発明の実施形態による温水タンクを組み込んだ水洗式便器の斜視図である。
【図２】図１に示す温水タンクの斜視図である。
【図３】図２に示す温水タンクの平面図である。
【図４】温水タンクに装着する整流部材を下方から見た斜視図である。
【図５】（ａ）は温水タンクの底部に装着した整流部材の断面図、（ｂ）は整流部材と温水タンクの凸部との固定構造を示す説明図である。
【図６】整流部材の整流筒部を示すものであり、（ａ）は側面図、（ｂ）は下面図、（ｃ）は先端面図である。
【図７】整流部材の整流筒部の内面を示す斜視図である。
【図８】実施形態の第一変形例による整流部材を示す要部斜視図である。
【図９】第二変形例による整流部材の嵌合口と水の流入口を別個に形成した温水タンクの要部説明図である。
【発明を実施するための形態】
【００１４】
以下、本発明の実施形態による温水タンクを備えた水洗式便器を添付図面によって説明する。
図１は実施形態による温水タンク２を備えた水洗式便器１を示すものであり、便器本体３の上面後部に局部洗浄装置４が備えられている。局部洗浄装置４は局部洗浄と温風乾燥と脱臭のための各種の機能部品６がベースプレート７上に設置されている。ベースプレート７上に設置された温水タンク２から供給される温水は後述する給水パイプ１８を通して洗浄ノズル８から図示しない便座に着座した人体の局部に噴射されて洗浄する。また、温水タンク２の温水は、便器本体３の便鉢にミストを噴射するミストノズル(図示せず)にも供給される。
【００１５】
図２及び図３に示す温水タンク２は、第一タンクをなす下部タンク１０と第二タンクをなす上部タンク１１とが連結された中空の温水タンク本体１２と、温水タンク本体１２の下部タンク１０に形成した流入口１３に嵌合された整流部材１４とを備えている。下部タンク１０と上部タンク１１は対向する開口部の端部同士を溶着することで一体化されている。流入口１３は下部タンク１０の外側面の下部に設けた円盤状の凸部９に貫通孔として内外を連通して形成されている。
【００１６】
温水タンク２は図３に示す平面視で例えば略四角形箱形状を有しており、下部タンク１０内の略対角方向にヒータ１６(シーズヒータ)が取り付けられている。ヒータ１６は例えば直管式のものであるが、Ｕ字式のものを採用してもよい。下部タンク１０の底部近傍に形成された凸部９の流入口１３を通して整流部材１４が水密に嵌合されている。整流部材１４は例えばヒータ１６の斜め下方側にヒータ１６と略平行に配設されている。整流部材１４は外部の水源である水道に配管を介して接続され、水が洗浄水として供給される。
【００１７】
流入口１３に嵌合した整流部材１４を通して温水タンク本体１２内に流入した水はヒータ１６で加熱されて上方に送られる。また、整流部材１４の近傍には排水口１７ａが形成され、排水口１７ａは栓１７によって開弁可能に封止されている。排水口１７ａは長期間使用しない場合等に温水タンク２内の水を全部排出させるものである。
また、上部タンク１１の天面には温水タンク本体１２内の上層部に貯留された温水を洗浄ノズル８に供給する給水パイプ１８が取り付けられている。
【００１８】
次に、図４乃至図７により整流部材１４について説明する。
整流部材１４は図４に示すように略円筒形状を有しており、水道から水の供給を受ける給水受け部２０と、略円筒形状で温水タンク２内に水を吐出する整流筒部２１と、給水受け部２０の下流側端部に形成されていて整流筒部２１の端部を嵌合して連結する嵌合軸部２２とを備えている。
給水受け部２０は例えば略Ｌ字状に形成されており、水道からリリーフ弁を備えたバルブ２５を介して配管によって連結されている。また、給水受け部２０は流入口１３に設けた略円盤状の凸部９に係合させる略コの字状の押え部２３を備えている。図５（ｂ）に示すように、凸部９の外周面には弾性変形可能な係止部９ａが形成され、押え部２３の内面には係止部９ａに係合可能な係止凹部２３ａが形成されている。押え部２３を凸部９に押し込むと係止部９ａが弾性変形して係止凹部２３ａと係合できる。しかも、押え部２３の下流側の嵌合軸部２２には流入口１３の略円筒状の内面に水密に嵌合するためのパッキン２６が設置されている。これにより、整流部材１４は温水タンク２に固定される。
【００１９】
また、整流部材１４の整流筒部２１は先端が封止されていて上流側が嵌合軸部２２に嵌合されており、その内部には略円筒状の中空部２１ａが形成されている。中空部２１ａ内を給水受け部２０と嵌合軸部２２内の通水孔２０ａから供給される水が流れる。そのため、嵌合軸部２２内の整流筒部２１との嵌合部に形成された封止面２２ａには比較的小径の通水孔２０ａが開口している。
中空部２１ａの長手方向中間部分には、図７に示すように、周方向に所定間隔で長板状に形成された複数のばね受け座２８が設置されている。図５（ａ）、（ｂ）において、ばね受け座２８と嵌合軸部２２の封止面２２ａとの間には逆止弁３０が中空部２１ａ内に装着されている。
【００２０】
逆止弁３０は、略円筒状で先端側に嵌合軸部２２内の通水孔２０ａを開閉可能な先端面３１ａを有する摺動可能な弁体３１を備え、弁体３１とばね受け座２８の間には弾性部材としてコイルばね３２が圧縮状態で装着されている。弁体３１の内面にはコイルばね３２の先端を受け止めるリング状の溝部３１ｂが形成されている。弁体３１の先端面３１ａには封止面２２ａに当接して通水孔２０ａを封止して閉弁するリング状の封止リング３３が設置されている。封止リング３３は例えばゴム等の弾性部材で形成されている。
【００２１】
そのため、整流部材１４は、水が給水受け部２０から通水孔２０ａを通って整流筒部２１に供給される場合には水圧でコイルばね３２が圧縮されて弁体３１が後退して通水孔２０ａを開弁し、水が止水された場合にはコイルばね３２の付勢力によって弁体３１の封止リング３３が封止面２２ａを押圧封止して通水孔２０ａを閉弁する。弁体３１の開弁状態で、通水孔２０ａから流入する水は弁体３１の外周面と中空部２１ａとの隙間を通って下流側に流れる。弁体３１の閉弁状態で、温水タンク２内の水が通水孔２０ａを通って逆流して漏出することを防止できる。
【００２２】
また、図５及び図６に示す整流筒部２１において、逆止弁３０の下流側には逆止弁３０を通過した水を温水タンク本体１２内に吐出させる開口列３６が形成されている。開口列３６は整流部材１４を温水タンク本体１２の流入口１３に嵌合した状態で、整流筒部２１の中心線Ｏを含む水平面の下側に形成されている。これらの開口列３６は整流筒部２１の長手方向に所定間隔で配列した複数、例えば３個の円形状の円形孔３７と、その周方向両側で長手方向に所定間隔で配列した複数、例えば４個の半円状の半円孔３８とが３列に形成されている。
図７に示す整流筒部２１において、周方向に所定間隔で配列された３本のばね受け座２８の間に半円孔３８がそれぞれ配列され、２列の半円孔３８の間に設けたばね受け座２８は円形孔３７と重なる部分が切除されている。
なお、整流部材１４を流入口１３に嵌合する際、開口列３６が中心線Ｏを含む水平線の下方に位置するように凸部９と嵌合軸部２２とに位置合わせ用の突起等の目印を設けてもよい。
【００２３】
そのため、整流部材１４において、逆止弁３０を通過した水は整流筒部２１内で３列の開口列３６を通して下方に排出されて温水タンク本体１２内に供給される。開口列３６を整流筒部２１の下半分の領域に形成すると共に開口を円形孔３７と半円孔３８に形成したことで、中空部２１ａから流出する水流は乱れることなく整流として温水タンク本体１２内に供給できる。
整流筒部２１の開口列３６として、面積の大きい円形孔３７で比較的多くの水量が流出し、その両側の面積の小さい半円孔で比較的少ない水量が流出することで全体の水量が大きくなるため水流は低速になる。しかも、水流が細分化されて整流筒部２１の円筒状の下側表面に沿って上昇することで更に低速になって整流化される。
【００２４】
また、本実施形態による温水タンク本体１２への水の供給流路では、図４に示すように整流部材１４の上流側(一次側)にバルブ２５が設置されている。このバルブ２５がゴミを噛んだりすると配管の下流側に水漏れを生じるが、この場合でも下流側（二次側）の整流部材１４に逆止弁３０を設置したことで温水タンク本体１２内に水が漏れることを防止できる。
【００２５】
本実施形態による水洗式便器１の温水タンク２は上述した構成を備えており、温水タンク２の組み立て方法について説明する。まず、下部タンク１０と上部タンク１１はその開口部の端部同士を溶着して一体化して温水タンク本体１２を製造し、ヒータ１６を下部タンク１０に装着する。下部タンク１０と上部タンク１１はその開口部の端部同士を溶着して一体化し、温水タンク本体１２を製造する。そして、この温水タンク本体１２の下部タンク１０の凸部９に設けた流入口１３に整流部材１４を挿入して流入口１３と整流部材１４の嵌合軸部２２とを嵌合し、パッキン２６で水密に封止する。これによって、整流部材１４は温水タンク本体１２内でヒータ１６と略平行な所定位置に固定保持される。
【００２６】
次に本実施形態による水洗式便器１における温水タンク２を通した温水供給方法について説明する。水洗式便器１に設けた洗浄ボタンがＯＮ操作されると、水道から供給される水は、開弁したバルブ２５を経由して配管を通して整流部材１４の給水受け部２０と嵌合軸部２２の通水孔２０ａに供給される。
通水孔２０ａを通過する水は水圧によって逆止弁３０のコイルばね３２を圧縮させて弁体３１を後退させて通水孔２０ａから整流筒部２１の中空部２１ａと弁体３１の隙間を通って下流側に供給される。そして、整流筒部２１の下面側に設けた円形孔３７と半円孔３８から温水タンク本体１２の底面側に水が吐出され、整流筒部２１の下面側円筒面に沿って低速で乱流を生じることなく整流として上昇する。
【００２７】
次いで、この水はヒータ１６によって加温され、温水タンク本体１２内の温水の層の下側に上昇する。上昇する温水は先に温水タンク本体１２内に貯留された温水の層との境界を崩さない程度に押し上げ、先に貯留された温水の層を温水タンク本体１２の上面の給水パイプ１８から外部の洗浄ノズル８に供給する。そして、洗浄ノズル８から噴射される温水で人体の局部を洗浄する。
洗浄ボタンがＯＦＦ操作されると、水道からの水の供給がバルブ２５で阻止される。通水孔２０ａの水圧が低下したことで逆止弁３０の弁体３１がコイルばね３２の付勢力で封止面２２ａを押圧し、封止リング３３で封止面２２ａの通水孔２０ａを閉弁させる。
【００２８】
その際、バルブ２５のリリーフ弁にごみ等が噛み込んだとしても、整流部材１４の逆止弁３０で逆流を阻止できる。また、逆止弁３０によって温水タンク本体１２内の水が逆流することを阻止できる。
なお、整流部材１４が故障等した場合には、栓１７を開弁して温水タンク本体１２内の水を排出させて整流部材１４を流入口１３から取り外して修理または交換できる。
【００２９】
上述のように本実施形態による水洗式便器１の温水タンク２によれば、下部タンク１０と上部タンク１１とを溶着して温水タンク本体１２を組み立てた後、整流部材１４を外部から流入口１３に嵌合することで簡単に装着でき、下部タンク１０の内面への取り付けが不要であるため組み立て工数を削減して製造コストを低減できる。しかも、整流部材１４を水の流入口１３に嵌合させたので別個に整流板等を設置する必要がなく構成が簡単であり、この点でも低コストである。
また、整流部材１４は簡単な形状であり、開口列３６を通して温水タンク本体１２へ水を供給するため、低速で乱流を抑制して整流化できて温水タンク本体１２内での安定した温水持続性能を確保できる。更に整流部材１４に設けた逆止弁３０によって水の供給と停止を制御でき、水の逆流や漏水を確実に防止できる。
【００３０】
なお、本発明による水洗式便器１の温水タンク２は、上述した実施形態に限定されるものではなく、本発明の要旨を逸脱しない範囲で適宜の変更や置換等が可能である。以下に、本発明の変形例等について説明するが、上述した実施形態で説明した部品や部材等と同一または同様なものについては同一の符号を用いて説明を省略する。
【００３１】
図８は本実施形態の第一変形例による整流部材４０を示す説明図である。
図８において、温水タンク本体１２における下部タンク１０の流入口１３に嵌合する整流部材４０は整流筒部４１が例えば略四角形筒状に形成されている。流入口１３も嵌合する嵌合軸部２２の形状に応じて断面略四角形に形成されている。この整流部材４０は、嵌合軸部２２に下部タンク１０の流入口１３に水密に嵌合するパッキン２６が取り付けられている。そして、嵌合軸部２２の基端側の筒部４２内に逆止弁３０が設置され、その上流側に配管に連結される給水受け部２０が設けられている。
整流部材４０の整流筒部４１は略四角形筒状の底面４１ａ側に円形孔３７と半円孔３８が配列された開口列３６が形成され、これら開口列３６を通して温水タンク本体１２内で底部に向けて水を吐出することができ、乱流を抑制して整流化できる。或いは上面４１ｂ側に開口列３６を形成してもよい。
なお、整流部材１４、４０の流入口１３に挿入され嵌合する整流筒部２１や嵌合軸部２２は円筒状や略四角形筒状の外部形状に限定されるものではなく、流入口１３に挿入及び嵌合可能であれば、その他の多角形筒状等の適宜の筒状を採用できる。
【００３２】
次に本発明の第二変形例を図９により説明する。
本第二変形例による温水タンク２では、温水タンク本体１２の下部タンク１０に水の流入口１３と略板状の整流部材４６を嵌合する嵌合口４７とが別個に設置されている。流入口１３は例えば略円形で嵌合口４７は略四角形状とされている。本第二変形例では温水タンク本体１２の下部タンク１０の底部近傍に設けた流入口１３の上側に嵌合口４７を設置することが好ましい。
本第二変形例では、流入口１３にバルブユニットを備えた水供給用の給水管４８が水密に嵌合している。また、流入口１３の上側に設置された嵌合口４７には整流部材４６を挿入して嵌合軸部２２のパッキン２６によって水密に嵌合されている。この整流部材４６は例えば平板形状であり、開口列３６として下面４６ａと上面４６ｂを連通する適宜形状の貫通孔５０が複数配列されている。
【００３３】
そのため、流入口１３から供給される給水管４８の水は温水タンク本体１２内で上側に流れて整流部材４６の複数の貫通孔５０をそれぞれ通過することで整流化されて低速で上方に送られ、図示しないヒータ１６で加温されて乱流となることなく緩やかに温水の層の下側に送られることになる。
【００３４】
上述したように本発明による温水タンク２において、外部から装着する整流部材１４、４０、４６は、内部を水が通って整流化する構成と、水の流入口１３を整流部材４６の嵌合口４７とは別個に設置して水の乱流を整流部材４６で抑制して整流化する構成とのいずれを採用してもよい。いずれの場合でも整流板を温水タンク２の組み立て前に下部タンク１０の内部に固定した従来技術と比較して、整流部材１４、４０、４６の装着と取り外しを容易に行うことができる。
【００３５】
なお、上述した実施形態や変形例による温水タンク２では整流部材１４，４０、４６の開口列３６を構成する複数の開口として円形孔３７や半円孔３８、または貫通孔５０を配列したが、開口の穴形状は円形や半円形状に限定されるものではなく、任意の形状のものを採用することができる。また、整流部材１４，４０、４６の開口列３６は３列に限定されるものではなく、適宜数の列に形成してもよく、開口の配列は任意である
なお、上述した実施形態では、温水タンク２の組み立て後に整流部材１４，４０を挿入するようにしたが、温水タンク２の組み立て前に装着するようにしてもよい。
【符号の説明】
【００３６】
１  水洗式便器
２  温水タンク
１０  下部タンク
１１  上部タンク
１２  温水タンク本体
１３  流入口
１４、４０、４６  整流部材
１６  ヒータ
２０  給水受け部
２０ａ  通水孔
２１  整流筒部
２２  嵌合軸部
２６  パッキン
３０  逆止弁
３６  開口列
３７  円形孔
３８  半円孔
４７  嵌合口
５０  貫通孔
【図１】
0006750944.tif 000002
【図２】
0006750944.tif 000003
【図３】
0006750944.tif 000004
【図４】
0006750944.tif 000005
【図５】
0006750944.tif 000006
【図６】
0006750944.tif 000007
【図７】
0006750944.tif 000008
【図８】
0006750944.tif 000009
【図９】
0006750944.tif 000010